(57)【要約】【課題】  折り目の無い原稿の印刷のスピードが低下するのを防止して、さらに原稿の一部が折れ曲がっている場合であっても原稿のサイズを適切に検出し、ミスコピーを減らすことにある。【解決手段】  画像形成装置に設けられ、セットされた原稿を搬送するための原稿搬送装置１であって、発光部８と受光部９とを備え、受光部９での受光量によって原稿のサイズを検出する第１検出手段５と、搬送中の原稿の長さを検出することによって原稿のサイズを検出する第２検出手段７と、第１検出手段５の受光部９での受光量に応じて、第１探知手段５及び第２探知手段７のいずれによって原稿のサイズを検出するかを選択する選択制御手段６とを備えている。【選択図】      図１
2007065394.tif 000002
【特許請求の範囲】
【請求項１】
画像形成装置に設けられ、セットされた原稿を搬送するための原稿搬送装置であって、
発光部と受光部とを備え、前記受光部での受光量によって原稿のサイズを検出する第１検出手段と、
搬送中の原稿の搬送方向長さを検出することによって原稿のサイズを検出する第２検出手段と、
前記第１検出手段の受光部での受光量に応じて、前記第１検出手段及び前記第２検出手段のいずれによって原稿のサイズを検出するかを選択する制御手段とを備えた、
原稿搬送装置。
【請求項２】
原稿をセットするための原稿載置部と、
原稿を搬送する原稿搬送部とをさらに備え、
前記第１検出手段は前記原稿載置部に設けられ、前記第２検出手段は前記原稿搬送部に設けられた、請求項１に記載の原稿搬送装置。
【請求項３】
前記受光部は前記発光部の光が原稿に反射した反射光を感知する、請求項１又は２に記載の原稿搬送装置。
【請求項４】
前記発光部及び前記受光部は、原稿搬送方向に沿って複数設けられた、
請求項１から３のいずれかに記載の原稿搬送装置。
【発明の詳細な説明】
【技術分野】
【０００１】
本発明は、原稿搬送装置、特に、原稿のサイズを検出することができる原稿搬送装置に関する。
【背景技術】
【０００２】
原稿搬送装置は、原稿を画像形成装置の原稿読み取り部に搬送するためのものであって、原稿を搬送する搬送部と原稿をセットする載置台とを備えており、原稿のサイズを検出するための検出手段を搬送部及び載置台にそれぞれ備えた原稿搬送装置がある（特許文献１参照）。この原稿搬送装置では、原稿の載置台にセットされた原稿は通常載置台に設けられた検出部によって原稿サイズを検出され（第１のモード）、載置台の原稿が搬送部によって搬送される。ここで用いられる検出部は光源と受光部とから構成され、光源の光を用紙に反射させ受光部で反射光を感知することで原稿の搬送方向長さを検出し、原稿サイズを検出する。
【特許文献１】特開平５−９４０６３号公報
【発明の開示】
【発明が解決しようとする課題】
【０００３】
載置台にセットされる原稿には、原稿の一部が折れ曲がっていたり、Ｚ折れと呼ばれる折り目がついていたりする場合がある。このような場合に従来の原稿搬送装置では、光源の光が原稿の折り目に照射されると、載置台と原稿との距離が長くなって受光部で反射光を上手く感知できない場合がある。このとき、原稿のサイズを正確に検出することができずに、原稿とは異なったサイズの用紙に印刷してしまうためにミスコピーが発生する。一方、搬送部に設けられた検出手段は、このような受光部で反射光を感知する方式の検出手段とは異なり原稿を原稿読み取り部に搬送する際に必要な時間によって原稿サイズを検出するようになっている。しかし、このような第２モードでの検出では、原稿１枚ごとに変倍率が設定されるために受光部で反射光を感知する方式の検出手段よりも印刷に必要な時間が長くなり、印刷のスピードが低下する。
【０００４】
本発明の課題は、折り目の無い原稿の印刷のスピードが低下するのを防止して、さらに原稿の一部が折れ曲がっている場合であっても原稿のサイズを適切に検出し、ミスコピーを減らすことにある。
【課題を解決するための手段】
【０００５】
請求項１に係る原稿搬送装置は、画像形成装置に設けられ、セットされた原稿を搬送するための原稿搬送装置であって、第１検出手段と、第２検出手段と、制御手段とを備えている。第１検出手段は、発光部と受光部とを備え、受光部での受光量によって原稿のサイズを検出する。第２検出手段は、搬送中の原稿の長さを検出することによって原稿のサイズを検出する。制御手段は、第１検出手段の受光部での受光量に応じて、第１検出手段及び第２検出手段のいずれによって原稿のサイズを検出するかを選択する。
【０００６】
この原稿搬送装置では、まず、第１検出手段によって原稿サイズを検出する。すなわち、セットされた原稿に発光部の光を照射し、受光部で受光した受光量によって原稿サイズを検出する。このとき受光部で受光した受光量に応じて制御手段は、第１検出手段による原稿サイズの検出から第２検出手段による原稿のサイズの検出へ切り替える。第２検出手段は搬送中の原稿の長さを検出することで原稿のサイズを検出する。
【０００７】
ここでは、第２検出手段は原稿の搬送時間によって原稿のサイズを検出するために原稿に折り目等が存在しても原稿サイズを検出できる。また、折り目などの無い原稿の印刷の場合は第２検出手段に比べて高速印刷が可能となる第１検出手段によって原稿サイズが検出されるために印刷のスピードが低下しない。
【０００８】
請求項２に係る原稿搬送装置は、請求項１に記載の原稿搬送装置であって、原稿をセットするための原稿載置部と原稿を搬送する原稿搬送部とをさらに備え、第１検出手段は原稿載置部に設けられ、第２検出手段は原稿搬送部に設けられている。
【０００９】
請求項３に係る原稿搬送装置は、請求項１または２に記載の原稿搬送装置であって、受光部は発光部の光が原稿に反射した反射光を感知する。
【００１０】
請求項４に係る原稿搬送装置は、請求項１から３のいずれかに記載の原稿搬送装置であって、発光部及び受光部は、原稿搬送方向に沿って複数設けられている。
【００１１】
ここでは、発光部及び受光部が１つの場合に比べてさらに詳細に原稿のサイズを検出することができる。
【発明の効果】
【００１２】
本発明によれば、折り目の無い原稿の印刷のスピードが低下するのを防止して、原稿の一部が折り曲げられている場合などでも原稿のサイズを検出できる。
【発明を実施するための最良の形態】
【００１３】
［構成］
本発明の一実施形態が採用された原稿搬送装置１を含む複写機（図示せず）は、用紙に画像を形成するための画像形成部や原稿のデータを読み取るデータ読み取り部、画像形成部による印刷動作を指示するためのスタートキーなどを有する操作パネル、給紙カセット又はバイパストレイから用紙を１枚ずつ画像形成部に向けて搬送するための用紙搬送部などを有している。
【００１４】
原稿搬送装置１は、図１から図４に示すように、原稿をセットする原稿載置台２と、原稿を原稿データ読み取り部に搬送する原稿搬送部３と、制御部４とを備える。また、原稿搬送装置１は、複写機の上側に配置されている。
【００１５】
原稿載置台２は、原稿を載置する部分であって、水平に設けられた板状の部分である。また、原稿載置台２には第１検出手段５が設けられている。
【００１６】
第１検出手段５は、発光部８及び受光部９を有する反射型フォトセンサで構成され、原稿載置台２に搬送方向に並んで３カ所配置されている（５ａ、５ｂ、５ｃ）。各センサ５ａ〜５ｃは、複数の原稿サイズ（例えば、Ａ４縦かＡ３横か）を検出できるように間隔をあけて配置されている。
【００１７】
原稿搬送部３は、原稿載置台２に載置された原稿をデータ読み取り部に搬送するための部分であって、原稿載置台２が接続されている。また、原稿搬送部３は、図示しない搬送ローラ及びこれを駆動するためのモータを有している。
【００１８】
制御部４は、原稿搬送装置３と、第１検出手段５とに接続され、これらの制御を行うとともに、第１のモード及び第２のモードのいずれかを選択するための制御プログラムを実行することで選択制御手段６及び搬送時間算出手段１０として機能する。第１のモードでは、第１検出手段５によって原稿の搬送方向長さの検出を行い、第２のモードでは、第２検出手段７によって原稿の搬送方向長さの検出を行う。
【００１９】
ここで、第１モードについて詳述すると、第１検出手段５は、原稿で反射した発光部８の光を受光部９で受光し、受光部９で受光した受光量に応じて原稿のサイズを検出する。具体的には、受光量が所定の値Ａよりも多い場合は、搬送方向長さの長い原稿（例えばＡ３横）と判断し、所定の値Ｂ（なお、Ａ＞Ｂ）より少ない場合は、搬送方向長さの短い原稿（例えばＡ４縦）と判断する。そして受光量が所定の値Ｂよりも多くかつ所定の値Ａより少ない場合は、後述する選択制御手段６により第２のモードに切り替えられ、第２検出手段７により搬送方向長さが判断される。
【００２０】
第２検出手段７は、原稿の搬送時間を検出し、原稿の搬送時間から原稿の長手サイズを検出するための手段であって、原稿搬送部３と原稿載置台２とが接触している部分に設けられたセンサ１１と、搬送時間算出手段１０とを有する。
【００２１】
センサ１１は、原稿搬送部３と原稿載置台２とが接触している部分に配置されており、原稿の有無を確認する部分である。
【００２２】
搬送時間算出手段１０は、センサ１１と連結しており、センサ１１によって原稿が有ると確認した時間を算出し、その算出データから原稿のサイズを検出するための部分である。
【００２３】
［動作・効果］
図５に原稿のサイズを検出する際のフローチャートを示す。以下に詳細に説明する。
【００２４】
原稿が原稿載置台２の上にセットされている状態で操作者が画像形成装置に印刷指示を出す（Ｓ１）と、第１のモードで原稿のサイズを検出する。すなわち、以下のように原稿のサイズを検出する。まず、第１検出手段５の発光部８は原稿に光を照射させる。照射された光は原稿によって反射し受光部９で受光される。このとき、図１に示すような状態の場合、所定の値Ｂよりも受光量が少なくなる（Ｓ２のＹＥＳ）。この場合には、搬送方向の長さが短い用紙を画像形成部等に搬送する（Ｓ６）。一方、図２に示すような状態の場合、受光部９が受光する受光量が所定の値Ａよりも多くなる（Ｓ２のＮＯ→Ｓ３のＹＥＳ）。この場合には、搬送方向長さの長い用紙が画像形成部等に搬送される（Ｓ７）。しかし、図３に示すように、発光部８及び受光部９の上の原稿が折れ曲がっている場合、原稿載置台２と用紙との間隔ｄが大きいため、受光部９で受光できる受光量は、第１モードにおいて用紙が存在すると認識するＡよりも少なく（Ｓ２のＮＯ）用紙が存在しないとするＢよりも多い（Ｓ３のＮＯ）。このとき、制御部４は第１モードから第２モードによって原稿のサイズを検出するように切り替える（Ｓ４）。すなわち、第２検出手段６は原稿搬送部３が原稿載置台２と接触している部分を原稿が通過する時間を検出し、この時間が所定時間より短いか否かに基づいて原稿のサイズを検出する（Ｓ５）。その結果、時間が短い場合には搬送方向の長さが短い用紙を画像形成部等に搬送する（Ｓ６）。一方、時間が長い場合には搬送方向長さの長い用紙が画像形成部等に搬送される（Ｓ７）。その後、画像形成部等に用紙が搬送され用紙に印刷される（Ｓ８）。
【００２５】
なお。この実施形態では、原稿載置台２の上の３つの受光部９がそれぞれ受光量を判断し原稿のサイズを検出する。
【００２６】
ここでは、原稿が折れ曲がっている場合等であっても原稿のサイズを検出でき、ミスコピーを減らすことができる。
【００２７】
［他の実施形態］
上記実施形態では、第１検出手段５を原稿載置台２上に３つ設けたが、本発明はこれに限られず、いくつ設けても良い。また、第１検出手段５を原稿載置台２上に配置し、第２検出手段６を原稿搬送部３に設けたが本発明はこれに限られず、別の場所に設けても良い。
【図面の簡単な説明】
【００２８】
【図１】原稿が第１検出手段５の上方にない場合の原稿搬送装置１の概略図
【図２】原稿が第１検出手段５の上方にある場合の原稿搬送装置１の概略図。
【図３】原稿の折れ曲がっている部が第１検出手段５の上方にある場合の原稿搬送装置１の概略図。
【図４】制御部４周辺のブロック図。
【図５】原稿のサイズを検出する際の動作を示すフローチャート。
【符号の説明】
【００２９】
１  原稿搬送装置
２  原稿載置台
３  原稿搬送部
４  制御部
５  第１検出手段
６  選択制御手段
７  第２検出手段
８  発光部
９  受光部
１０  搬送時間算出手段
１１  センサ
【図１】
2007065394.tif 000003
【図２】
2007065394.tif 000004
【図３】
2007065394.tif 000005
【図４】
2007065394.tif 000006
【図５】
2007065394.tif 000007